(57)【要約】  金属イオン水散布装置(100)は、水を貯めるタンク(111)と、タンク(111)に貯められた水を外部の対象物に向けて散布する散布部（給水管(121)、散布ノズル(122)および押圧レバー(123)）と、タンク(111)に貯められた水に抗菌作用を有する金属イオンを付加して金属イオン水を生成する一対の金属電極板(112)と、振動を発生させてタンク(111)に振動を伝える振動部(131)とを備えている。金属イオン水散布装置(100)は、散布部による散布は行わずに、振動部(131)によって振動を発生させながら、タンク(111)内で金属電極板(112)によって金属イオン水を生成するイオン水生成モードを有している。
2020071433.tif 000002
【特許請求の範囲】
【請求項１】
水を貯めるタンクと、
前記タンクに貯められた水を外部の対象物に向けて散布する散布部と、
前記タンクに貯められた水に抗菌作用を有する金属イオンを付加して金属イオン水を生成する金属イオン水生成部と、
振動を発生させ、前記タンクに振動を伝える振動部とを備えており、
前記散布部による散布は行わずに、前記振動部によって振動を発生させながら、前記タンク内で前記金属イオン水生成部によって金属イオン水を生成するイオン水生成モードを有していることを特徴とする金属イオン水散布装置。
【請求項２】
請求項１に記載の金属イオン水散布装置であって、
前記振動部は、イオン水生成モードにおいて振動を発生させて前記タンクに振動を伝える専用の振動部を含むことを特徴とする金属イオン水散布装置。
【請求項３】
請求項１または２に記載の金属イオン水散布装置であって、
前記散布部は、駆動時に振動を生じる駆動部を含んでおり、
前記駆動部を前記振動部として兼用することを特徴とする金属イオン水散布装置。
【請求項４】
請求項３に記載の金属イオン水散布装置であって、
前記散布部は、前記タンク内の水をポンプによって汲み上げて散布するものであり、
前記ポンプの駆動モータを前記振動部として兼用することを特徴とする金属イオン水散布装置。
【請求項５】
請求項３に記載の金属イオン水散布装置であって、
前記散布部は、前記タンク内の水を超音波振動子によって霧化して噴霧するものであり、
前記超音波振動子を前記振動部として兼用することを特徴とする金属イオン水散布装置。
【請求項６】
請求項１から５の何れか１項に記載の金属イオン水散布装置であって、
前記金属イオン水生成部は、前記タンクの底面に立設され、互いに対向する一対の金属電極板であり、対向する金属電極板間の距離は下方に比べて上方が狭くなっていることを特徴とする金属イオン水散布装置。
【発明の詳細な説明】
【技術分野】
【０００１】
本発明は、微生物の繁殖を効果的に抑制することのできる金属イオン水を散布する金属イオン水散布装置に関する。
【背景技術】
【０００２】
家庭住居などには多様な菌が生息しており、それらの中には健康被害を引き起こすものもある。また、黒カビなどのカビ菌が住居内の壁面や衣類などに繁殖した場合、外観的な面でも衛生的な面でも問題となるため、繁殖したカビ菌は殺菌除去する必要がある。しかしながら、一旦繁殖したカビ菌は殺菌後も色が残ってしまうため、カビの発生や繁殖自体を予防することが重要となる。【０００３】
銀イオン水は、カビ菌の殺菌や繁殖の抑制に効果があることが既に実証されており、また十分な物質量の銀を壁面に付着させた場合、長期にわたって殺菌・菌繁殖抑制効果が得られることもわかっている。このため、カビの発生や繁殖を予防する用途の抗菌剤として、銀イオン水の使用は望ましいものであると言える。【０００４】
従来、抗菌剤として銀イオン水を噴霧する技術が提案されている。例えば、特許文献１には、浴室内に銀イオンミストを噴霧する装置が示されている。特許文献１に開示されている装置は、浴室の天井に設置されるミストサウナ機能付きの据置き式の装置であり、浴室以外で使用することができず、また、特定の箇所に集中して銀イオン水を噴霧することもできない。【０００５】
一方、特許文献２には、持ち運びが可能であり、銀イオン水を洗浄対象に向けてスプレーできる装置が開示されている。この装置は浴室以外でも使用でき、特定の箇所に集中して銀イオン水をスプレーすることもできる。特許文献２に開示されている装置は、イオン溶出ユニットをスプレー経路中に配置した構成となっている。このイオン溶出ユニットは、水を銀電極にて電気分解し、銀イオンを含む水（銀イオン水）を生成するものである。
【先行技術文献】
【特許文献】
【０００６】
【特許文献１】特許４７２８２６３号公報
【特許文献２】特開２００５−５３８４０号公報
【発明の概要】
【発明が解決しようとする課題】
【０００７】
特許文献２に開示されている装置は、イオン溶出ユニットをスプレー経路中に配置した構成であるため、銀イオン水におけるイオン濃度を調整することが困難である。特に、抗菌作用を高めるために銀イオンを高濃度とすることが難しいといった課題がある。【０００８】
本発明は、上記課題に鑑みてなされたものであり、高濃度の金属イオン水を効率よく生成することが可能な金属イオン水散布装置を提供することを目的とする。
【課題を解決するための手段】
【０００９】
上記の課題を解決するために、本発明の金属イオン水散布装置は、水を貯めるタンクと、前記タンクに貯められた水を外部の対象物に向けて散布する散布部と、前記タンクに貯められた水に抗菌作用を有する金属イオンを付加して金属イオン水を生成する金属イオン水生成部と、振動を発生させ、前記タンクに振動を伝える振動部とを備えており、前記散布部による散布は行わずに、前記振動部によって振動を発生させながら、前記タンク内で前記金属イオン水生成部によって金属イオン水を生成するイオン水生成モードを有していることを特徴としている。【００１０】
上記の構成によれば、イオン水生成モードにおいて、金属イオン水の散布を行わずにタンク内で金属イオン水を生成することで、金属イオン水の濃度調整が簡単であり、高濃度の金属イオン水を生成することもできる。さらに、イオン水生成モード時には、振動部によってタンクに振動を伝えることで、タンク内で金属イオンを効率よく拡散させることができ、金属イオン水生成部の周辺の金属イオン濃度が薄まることで、金属イオン水の生成能力（イオン溶出速度）が向上する。【００１１】
また、上記金属イオン水散布装置では、前記振動部は、イオン水生成モードにおいて振動を発生させて前記タンクに振動を伝える専用の振動部を含む構成とすることができる。【００１２】
上記の構成によれば、専用の振動部を用いることで、振動による金属イオンの拡散作用の最適化を図ることが容易となる。【００１３】
また、上記金属イオン水散布装置では、前記散布部は、駆動時に振動を生じる駆動部を含んでおり、前記駆動部を前記振動部として兼用する構成とすることができる。【００１４】
上記の構成によれば、駆動部に２つの機能を兼用させることで部品点数を削減することができる。【００１５】
また、上記金属イオン水散布装置では、前記散布部は、前記タンク内の水をポンプによって汲み上げて散布するものであり、前記ポンプの駆動モータを前記振動部として兼用する構成とすることができる。【００１６】
また、上記金属イオン水散布装置では、前記散布部は、前記タンク内の水を超音波振動子によって霧化して噴霧するものであり、前記超音波振動子を前記振動部として兼用する構成とすることができる。【００１７】
また、上記金属イオン水散布装置では、前記金属イオン水生成部は、前記タンクの底面に立設され、互いに対向する一対の金属電極板であり、対向する金属電極板間の距離は下方に比べて上方が狭くなっている構成とすることができる。【００１８】
上記の構成によれば、金属イオン水生成時に金属電極板より発生する気泡に伴って発生される水流の速度および角度を調整することができ、均一な金属イオン水を迅速に生成することができる。また、金属電極板が根元から消失することを防ぐことができる。
【発明の効果】
【００１９】
本発明の金属イオン水散布装置は、金属イオン水の散布は行わずに、振動を加えながらタンク内で金属イオン水を生成するイオン水生成モードを有しているため、高濃度の金属イオン水を効率よく生成することができるといった効果を奏する。
【図面の簡単な説明】
【００２０】
【図１】実施の形態１に係る金属イオン水散布装置の内部の概略構成を示す断面図である。
【図２】（ａ），（ｂ）は、金属イオン水散布装置における給水構造を示す図である。
【図３】金属イオン水散布装置のイオン水生成モード時において、金属電極板から金属イオンが溶出する状態を示す模式図である。
【図４】実施の形態１に係る金属イオン水散布装置の変形例を示すものであり、金属イオン水散布装置の内部の概略構成を示す断面図である。
【図５】（ａ）〜（ｃ）は、金属電極板から金属イオンが溶出する状態を示す模式図である。
【図６】金属電極板の配置および振動の有無の条件を変えて、Ａｇイオンの生成能力を検証した結果を示すグラフである。
【図７】（ａ），（ｂ）は、金属電極板の印加電圧の一例を示す波形図である。
【図８】（ａ），（ｂ）は、金属電極板の印加電圧の一例を示す波形図である。
【図９】実施の形態１に係る金属イオン水散布装置の変形例を示すものであり、金属イオン水散布装置の内部の概略構成を示す断面図である。
【図１０】（ａ），（ｂ）は、金属イオン水散布装置のタンク底面における金属電極板の配置例を示す斜視図である。
【図１１】実施の形態１に係る金属イオン水散布装置の変形例を示すものであり、金属イオン水散布装置の内部の概略構成を示す断面図である。
【図１２】実施の形態１に係る金属イオン水散布装置の変形例を示すものであり、金属イオン水散布装置の内部の概略構成を示す断面図である。
【図１３】実施の形態１に係る金属イオン水散布装置の変形例を示すものであり、金属イオン水散布装置の内部の概略構成を示す断面図である。
【図１４】実施の形態２に係る金属イオン水散布装置の内部の概略構成を示す断面図である。
【図１５】実施の形態２に係る金属イオン水散布装置の変形例を示すものであり、金属イオン水散布装置の内部の概略構成を示す断面図である。
【図１６】実施の形態３に係る金属イオン水散布装置の内部の概略構成を示す断面図である。
【発明を実施するための形態】
【００２１】
〔実施の形態１〕
（金属イオン水散布装置の構成）
以下、本発明の実施の形態について、図面を参照して詳細に説明する。図１は、本実施の形態１に係る金属イオン水散布装置１００の内部の概略構成を示す断面図である。金属イオン水散布装置１００は、筐体１１０内部に貯水用のタンク１１１を備えており、さらに、タンク１１１の内部の一対の金属電極板（金属イオン水生成部）１１２を配置している。金属イオン水散布装置１００では、金属電極板１１２に通電して電気分解を行うことで、陽極の金属電極板１１２から金属イオンを水中に溶出させ、タンク１１１内で金属イオン水を生成することができる。尚、金属電極板１１２の材質は、抗菌作用のある金属イオンを生成できるものであれば特に限定されるものではなく、銀、銅または亜鉛などが好適に利用できる。
【００２２】
さらに、金属イオン水散布装置１００は、給水管１２１、散布ノズル１２２、押圧レバー１２３および振動部１３１を備えている。給水管１２１は、その下端からタンク１１１内の水（金属イオン水）を汲み上げ、その先端に設けられた散布ノズル１２２にまで給水するものである。給水管１２１の下端は、タンク１１１内に挿入されている。
【００２３】
金属イオン水散布装置１００における金属イオン水の散布は、使用者が押圧レバー１２３を操作することに行われる。すなわち、使用者が押圧レバー１２３を操作することによって給水管１２１内の流路の気圧が減少し、この流路の気圧減少によってタンク１１１の水が揚水され、散布ノズル１２２から散布される。本構成では、手動によって金属イオン水の散布を行うことで、金属イオン水散布装置１００の省電力化および軽量化を図ることができ、また、任意の量の金属イオン水を散布できる。この例では、給水管１２１、散布ノズル１２２および押圧レバー１２３が、特許請求の範囲に記載の散布部に相当する。尚、金属イオン水の散布は、押圧レバー１２３を用いる手動式に限定されるものではなく、電動ポンプを用いる電動式であってもよい。
【００２４】
散布ノズル１２２から散布される金属イオン水は、ミスト状に噴霧されるものであってもよく、あるいはシャワー状に散布されるものであってもよい。金属イオン水散布装置１００は、使用者が金属イオン水散布装置１００を手に持ち、散布ノズル１２２を除菌および抗菌の対象物に向けることで、金属イオン水を対象物に直接散布することができる。このような使用において、図１では図示を省略しているが、金属イオン水散布装置１００には、使用者が手に持って操作しやすいように（任意の領域に金属イオン水を散布しやすいように）取手部が設けられていることが好ましい。
【００２５】
タンク１１１への給水は、図２（ａ）に示すように、筐体１１０を互いに分離可能な筐体上部１１０Ａと筐体下部１１０Ｂとによって構成し、筐体上部１１０Ａと筐体下部１１０Ｂとを分離したときに筐体下部１１０Ｂの上面開口から給水を行う構成とすることができる。あるいは、図２（ｂ）に示すように、筐体１１０にタンク１１１と連通する給水部１１３を設け、給水部１１３から給水を行う構成とすることもできる。この場合、筐体１１０を分離可能な構成とせずともタンク１１１に給水を行うことができる。尚、図２（ｂ）の構成では、給水部１１３は、給水を行わない場合はキャップ１１４によって閉じられるものとする。
【００２６】
振動部１３１は、金属イオン水の生成時に、タンク１１１内の水および／または金属電極板１１２に振動を与えるものである。振動部１３１による作用については後に詳細に説明する。
【００２７】
さらに、金属イオン水散布装置１００は、図示しない制御部、操作部および給電部を有している。制御部は、金属イオン水散布装置１００の全体の制御を行うものであり、金属電極板１１２の通電制御や振動部１３１の駆動制御を行う。操作部は、金属イオン水散布装置１００における筐体１１０の外側に設けられ、使用者が金属イオン水散布装置１００を操作するために使用される。
【００２８】
給電部は、金属電極板１１２や振動部１３１を駆動するための電力を供給するものであり、アルカリ乾電池、マンガン乾電池といった一次電池や、ニッケル水素電池、リチウムイオン電池などの二次電池を好適に用いることができる。給電部を二次電池とする場合、この電池は金属イオン水散布装置１００に対して取り外し可能でも内蔵式でも良い。取り外し可能な二次電池を用いる場合、別途充電器を用いることで電池を金属イオン水散布装置１００から外した状態で充電することができる。また、金属イオン水散布装置１００は商用電源にて駆動することも可能であり、この場合、給電部は商用電源から所望の電力を得るためのＡＣアダプタであってもよい。
【００２９】
（イオン水生成モードにおける振動作用）
本実施の形態１に係る金属イオン水散布装置１００では、金属電極板１１２をタンク１１１の内部に配置し、タンク１１１内で金属イオン水を生成するため、金属イオン水の濃度調整が簡単であり、高濃度の金属イオン水を生成することも可能となる。すなわち、本実施の形態１に係る金属イオン水散布装置１００を使用するに当たっては、最初に、金属イオン水の散布を行わずにタンク１１１内で金属イオン水を生成するイオン水生成モードが設定される。
【００３０】
このイオン水生成モードでは、タンク１１１内の水が所望濃度の金属イオン水になるように調整可能である。具体例としては、生成する金属イオン水のイオン濃度は、主に電解時間（金属電極板１１２への通電時間）によって設定されるものであるため、使用者が操作部によって電解時間を設定することが考えられる。あるいは、使用者が操作部によって所望の濃度（高濃度、中濃度または低濃度など）を設定し、設定された濃度（およびタンク１１１内の水量）に応じて制御部が電解時間を設定するようにしてもよい。
【００３１】
イオン水生成モードにおいて所望濃度の金属イオン水を生成するとき、当然ながら、その生成は短時間で行えることが望ましい。金属イオン水散布装置１００では、イオン水生成モードでの作動時に、振動部１３１を駆動してタンク１１１に振動を加え、金属イオン水の生成能力を向上させることができる。すなわち、より短時間でより高濃度の金属イオン水を生成することができる。以下、この作用について説明する。尚、以下の説明では、金属電極板１１２の材質が銀（Ａｇ）である場合を例示する。
【００３２】
図３は、イオン水生成モード時にタンク１１１内で金属電極板１１２に通電を行い、電気分解によって陽極の金属電極板１１２からＡｇイオンが溶出する状態を示す模式図である。この時、金属電極板１１２の陽極側ではＡｇ+およびＡｇの微粒子雲（以下、Ａｇ微粒子雲）が発生し、陰極側ではＨ2を含む気泡が発生する。そして、陰極で発生した気泡群が水面へと浮き上がり、それによって発生する水流により陽極側で発生するＡｇ微粒子雲がタンク１１１内で上方および側方へと拡散する。
【００３３】
但し、気泡による水流の拡散作用は余り大きなものではなく、この作用のみでタンク１１１内でＡｇ+およびＡｇを均一に拡散させるには比較的長い時間を要する。このため、陽極の金属電極板１１２の周囲には高濃度のＡｇ微粒子雲が存在することになり、このＡｇ微粒子雲によって金属イオン水の生成能力（Ａｇ溶出速度）が低下する。また、陰極の金属電極板１１２で発生する気泡も、発生後すぐに浮き上がるわけではなく、ある程度の大きさに成長するまでは金属電極板１１２の表面に付着していると考えられる。金属電極板１１２の表面に付着する気泡も電解反応速度を低下させ、金属イオン水の生成能力を低下させる。
【００３４】
本実施の形態１に係る金属イオン水散布装置１００では、イオン水生成モードでの作動時に、振動部１３１を駆動してタンク１１１内の水および／または金属電極板１１２に振動を加えることができる。尚、振動部１３１は、タンク１１１に直接接していなくても、筐体１１０などを介してタンク１１１に振動を伝えることが可能である。この振動によってタンク１１１内でＡｇ+およびＡｇの拡散作用が生じ、陽極の金属電極板１１２表面近傍のＡｇ＋，Ａｇ濃度が薄まることで、金属イオン水の生成能力が向上する。また、上記振動は、陰極の金属電極板１１２表面の気泡を引き剥がす作用も有すると考えられ、この作用によっても金属イオン水の生成能力の向上が期待できる。
【００３５】
図１の金属イオン水散布装置１００では、振動部１３１は金属イオン水散布装置１００の下部（タンク１１１の下方）に配置されている。しかしながら、振動部１３１の配置箇所は特に限定されるものではなく、例えば図４に示すように、振動部１３１は金属イオン水散布装置１００の上部（タンク１１１の上方）に配置されていてもよい。すなわち、振動部１３１は、金属イオン水散布装置１００のどこに配置されていても、筐体１１０を介して振動をタンク１１１に伝えることができる。また、金属イオン水散布装置１００における振動部１３１の数も特に限定されるものではなく、金属イオン水散布装置１００に複数の振動部１３１を配置することも可能である。
【００３６】
尚、振動部１３１を金属イオン水散布装置１００の下部（例えば、金属電極板１１２の直下付近）に配置した場合は、金属電極板１１２に効率よく振動が伝わることが期待できる。一方、振動部１３１を金属イオン水散布装置１００の上部に配置した場合は、筐体１１０だけでなく給水管１２１を介しても金属電極板１１２に効率よく振動が伝わることが期待できる。
【００３７】
振動部１３１としては、振動を発してタンク１１１内に振動を伝播できるものであればよく、任意の振動体を使用することができる。例えば、振動部１３１は、回転運動を行うモータ、圧電振動により駆動するポンプ、超音波振動を発する超音波振動子などが使用可能である。また、振動部１３１を超音波振動子とする場合、振動部１３１は、タンク１１１内の水に接する形で配置することで、タンク１１１内に（超音波）振動を直接発生させてもよい。また、振動部１３１を金属イオン水散布装置１００の上部に配置する場合は、低周波で大きな振動を発生することのできるモータやポンプなどの使用が好ましい。
【００３８】
また、タンク１１１内の金属電極板１１２の配置に関しては、図３に示すように、金属イオン水の生成能力を向上させるために、タンク１１１内の底部付近において、電極の対向面がタンク１１１の底面に対して略垂直となるように配置（垂直対向配置）されることが望ましい。
【００３９】
図５（ａ）は、金属電極板１１２をタンク１１１内の上部付近で垂直対向配置した場合に、Ａｇイオンが溶出する状態を示す模式図である。この場合、金属電極板１１２がタンク１１１内の水面付近に配置されるため、陰極から発生した気泡群が水面へと浮き上がることで水流が発生しても、その水流発生領域は短いものとなる。そのため、気泡群により生じる水流の拡散効果を十分に受けることができず、図３の例と比べてＡｇイオンの生成能力も低下する。
【００４０】
図５（ｂ），（ｃ）は、金属電極板１１２をタンク１１１内の底面付近で水平対向配置（電極の対向面がタンク１１１の底面に対して略平行となるように配置）した場合に、Ａｇイオンが溶出する状態を示す模式図である。この場合、金属電極板１１２が水平対向配置となっているため、下側の陰極で発生した気泡が上側の陽極に付着したり（図５（ｂ）の場合）、下側の陽極で発生したＡｇ微粒子雲が上側の陰極に付着したり（図５（ｃ）の場合）することでＡｇの溶出効率が落ち、図３の例と比べてＡｇイオンの生成能力も低下する。また、気泡群の水面への浮き上がり自体が、上側の金属電極板１１２によって阻害されて水流が弱くなるため、気泡群により生じる水流の拡散効果も小さくなる。
【００４１】
図６は、金属電極板１１２の配置および振動の有無の条件を変えて、Ａｇイオンの生成能力を検証した結果を示すグラフである。実施例１，２では、振動部１３１による振動を加えながら金属電極板１１２に通電し、Ａｇイオンの生成を行った。実施例１，２では金属電極板１１２をタンク１１１内の底面で垂直対向配置とし、実施例１は振動部１３１を金属イオン水散布装置１００の上部に配置した例、実施例２は振動部１３１を金属イオン水散布装置１００の下部に配置した例を示す。比較例１〜４では、振動を加えずに金属電極板１１２の通電のみでＡｇイオンの生成を行った。比較例１，２では金属電極板１１２を垂直対向配置とし、比較例１は金属電極板１１２をタンク１１１内の底面に配置した例、比較例２は金属電極板１１２をタンク１１１内の上面に配置した例を示す。比較例３，４では金属電極板１１２をタンク１１１内の底面で水平対向配置とし、比較例３は陽極を上側に配置した例、比較例４は陽極を下側に配置した例を示す。
【００４２】
図６から明らかなように、実施例１，２では、比較例１〜４に比べて同じ電解時間でより高濃度のＡｇイオン水が得られている。これより、振動を加えながらのＡｇイオンの生成が生成能力の向上に有益であることが分かる。尚、イオン水生成モード中における振動部１３１の振動は、途切れることなく連続的に行われるものであってもよく、あるいは、中断期間を設けながら間欠的に行われるものであってもよい。振動部１３１の振動を連続的に行う場合は、最も高い生成能力が得られる。振動部１３１の振動を間欠的に行う場合は、消費電力が削減できる。
【００４３】
尚、上記説明では、イオン水生成のための電解中に振動部１３１を振動させることを説明したが、電解中だけでなく、電解の開始直前や終了直後に振動部１３１を振動させても良い。これは、電解の終了直後にも、まだ金属電極板１１２の付近にＡｇ微粒子雲や気泡が存在するため、その状態で次の電解を開始すると開始直後のＡｇイオンの生成能力を低下させる虞があるためである。電解の終了直後や開始直前に振動部１３１を振動させてタンク１１１内の拡散を行えば、前回電解時のＡｇ微粒子雲や気泡が残存することを防止でき、電解開始直後から高いイオン水生成能力を得ることができる。
【００４４】
（金属電極板への通電制御）
上述したように、金属イオン水散布装置１００における金属イオン水の生成は、タンク１１１内での金属電極板１１２への通電によって行われる。この時、金属イオンは陽極の金属電極板１１２が溶出することによって発生するため、金属電極板１１２の極性を固定すると、一方（陽極側）の金属電極板１１２のみが消耗することになる。これを防止するためには、金属電極板１１２の極性を反転させる反転制御を行うことが好ましい。
【００４５】
具体例としては、図７（ａ）に示すように、金属イオン水散布装置１００の使用回毎に印加電圧の向きを反転させ、陽極と陰極とを反転させることが考えられる。あるいは、図７（ｂ）に示すように、金属イオン水散布装置１００の使用中（金属電極板１１２への連続通電中）、所定時間毎に電圧の向きを反転させてもよい。このような反転制御により、一方の金属電極板１１２のみが消耗することを防止できる。また、図７（ｂ）に示すように金属電極板１１２への連続通電中に電圧の向きを切り替える場合、切り替え後の陰極にて発生する気泡により、切り替え前の陽極付近に残留している金属イオンを効率よく拡散させることができる。尚、図７に示す電圧波形は一例であって、本発明はこれに限定されるものではない。例えば、電圧の向きの切り替え時には短時間のインターバルがあってもよく、電圧波形は矩形波でなく三角波や台形波などの他の波形であってもよい。
【００４６】
また、金属電極板１１２の反転制御によって金属イオンを拡散させる作用においては、図８（ａ）に示すように、電圧の向きの切り替え直後の印加電圧をその他の期間よりも高く設定してもよい。これにより、切り替え時に多量の気泡を発生させ、より効率的に残留している金属イオンを拡散させることができる。また、図８（ｂ）に示すように、イオン水生成モードの終了時に、一定の期間、金属電極板１１２の電圧の向きの切り替えを短周期で行う終了運転を行ってもよい。この終了運転によってタンク１１１内で金属イオンを効率よく拡散させることができ、イオン水生成モードの終了直後から均一な濃度の金属イオン水を得ることができる。
【００４７】
尚、金属電極板１１２の反転制御と振動部１３１の間欠駆動との両方を行う場合、電圧の向きの切り替えタイミングは、振動の発生期間中とすることが好ましい。この場合、電圧の切り替えによる金属イオンの拡散効果と振動による金属イオンの拡散効果とが同時に発生し、相乗効果によって金属イオンのより高い拡散効果が得られる。
【００４８】
（実施の形態１における変形例）
本実施の形態１に係る金属イオン水散布装置１００の変形例を図９〜図１３を参照して説明する。尚、図９〜図１３においては、振動部１３１の図示は省略している。
【００４９】
図９に示す金属イオン水散布装置１００は、タンク１１１の底部に凹部１１１Ａを有しており、金属電極板１１２は凹部１１１Ａの内部に配置されている。凹部１１１Ａの上部、すなわち金属電極板１１２の上方は、カバー１１１Ｂによって覆われている。カバー１１１Ｂは、少なくとも一部に開口（好ましくは多数の小孔）を有している。
【００５０】
図９に示す構成では、金属電極板１１２の最上端より下部のタンク空間（すなわち凹部１１１Ａ）が狭くなるため、発生した金属イオンがタンク上方へ輸送されやすくなり（タンク下部にたまらなくなり）、均一な金属イオン水を生成しやすくなる。また、凹部１１１Ａの上部にはカバー１１１Ｂが設けられているため、使用者が金属電極板１１２に触れることなく使用することができ、万が一の故障が防止できる。
【００５１】
タンク１１１の底部に配置される金属電極板１１２は、例えば図１０（ａ）に示すように、タンク底面に立設された支柱に取り付けられ、金属電極板１１２自体はタンク底面から浮いた状態で配置されるものであってもよい。あるいは、図１０（ｂ）に示すように、金属電極板１１２自体がタンク底面から直接立設して配置されるものであってもよい。金属電極板１１２自体をタンク底面から直接立設して配置する場合、振動部１３１によって発生する振動がタンク１１１から金属電極板１１２に伝わりやすくなることも期待できる。
【００５２】
また、金属電極板１１２自体をタンク底面から直接立設して配置する場合は、図１１に示すように、金属電極板１１２をタンク底面から完全に垂直に立設させるのではなく、僅かに傾けて配置してもよい。この場合、金属電極板１１２を傾けることにより、対向する金属電極板１１２間の距離が上方で狭くなり下方で広くなるようにする。これにより、金属電極板１１２より発生する気泡に伴って発生される水流の速度および角度を調整することができ、均一な金属イオン水を迅速に生成することができる。また、金属電極板１１２が根元から消失することを防ぐことができる。
【００５３】
金属電極板１１２は、金属イオンの生成に伴って消耗するため、消耗した金属電極板１１２は交換が必要となる。金属電極板１１２の交換を容易にするため、図１２に示すように、筐体１１０の一部を筐体底部１１０Ｃとして分離可能とし、筐体底部１１０Ｃの上面に金属電極板１１２が取り付けられる構成としてもよい。この構成では、筐体底部１１０Ｃを分離した状態で金属電極板１１２の交換が容易に行える。また、筐体底部１１０Ｃには、制御部および給電部が設けられていることが好ましい。
【００５４】
さらに、図１３に示すように、筐体底部１１０Ｃからは、金属電極板１１２をタンク１１１の底面をなす底面部材と一体化した電極ユニット１１０Ｄを分離可能としてもよい。この場合、電極ユニット１１０Ｄを分離することで金属電極板１１２と制御部および給電部とが分離されるものとする。この構成では、電極ユニット１１０Ｄを交換することで、金属電極板１１２の交換がさらに容易となる。
【００５５】
〔実施の形態２〕
上記実施の形態１における金属イオン水散布装置１００は、イオン水生成モードにおいて振動を発生させる専用の振動部１３１を備える構成を説明した。しかしながら、本発明はこれに限定されるものではなく、イオン水生成モードにおいて振動を発生させる振動部は、他の機能を兼ね備えるものとすることができる。
【００５６】
図１４は、本実施の形態２に係る金属イオン水散布装置１０１の内部の概略構成を示す断面図である。金属イオン水散布装置１０１は、タンク１１１内で生成した金属イオン水の散布をポンプ１３２によって行うものであり、このポンプ１３２をイオン水生成モードにおいて振動を発生させる振動部としても使用する。このため、ポンプ１３２は、金属イオン水散布時の散布駆動モードと、金属イオン水生成時の振動生成モードとの２つの駆動モードを有する。尚、この例では、給水管１２１、散布ノズル１２２およびポンプ１３２が、特許請求の範囲に記載の散布部に相当する。
【００５７】
ポンプ１３２は、図１４に示すように、給水管１２１の途中に設けられ、金属イオン水散布装置１０１における金属イオン水の散布は、ポンプ１３２を散布駆動モードで駆動させることによって行われる。この時、ポンプ１３２の駆動によって、給水管１２１の下端からタンク１１１内の水（金属イオン水）が汲み上げられ、その先端に設けられた散布ノズル１２２から散布する。
【００５８】
一方、イオン水生成モードにて金属イオン水を生成する場合は、タンク１１１内の金属電極板１１２に通電すると共に、ポンプ１３２を振動生成モードで駆動する。振動生成モードで駆動されるポンプ１３２は、金属イオン水の散布は行わずに、タンク１１１へ振動を伝達させるのみである。ポンプ１３２を振動生成モードで駆動する方法としては、例えば以下の第１または第２の方法が考えられる。
【００５９】
第１の方法としては、ポンプ１３２を振動生成モードで駆動する場合のモータ出力を、散布駆動モード時よりも小さくすることが考えられる。すなわち、モータ出力を小さくすることで、タンク１１１から給水管１２１に汲み上げられる水は散布ノズル１２２まで届かず、散布を行わずに振動のみを発生させることができる。
【００６０】
第２の方法としては、ポンプ１３２を振動生成モードで駆動する場合のモータ回転方向を、短い周期で反転させることが考えられる。すなわち、ポンプ１３２のモータを正回転させている間はタンク１１１内の水は給水管１２１によって汲み上げられるが、この水が散布ノズル１２２に到達する前にモータを反転させることで給水管１２１内の水が再びタンク１１１へ戻される。この第２の方法では、給水管１２１内で水の振動が発生するため、このような水の振動によってもタンク１１１内の水の撹拌を行うことができる。
【００６１】
図１４に示す金属イオン水散布装置１０１では、ポンプ１３２をモータ内臓式の電動ポンプとして記載しているが、ポンプ１３２は別体の駆動モータと接続されて駆動されるものであってもよい。いずれの場合も、ポンプ１３２の駆動部である駆動モータが振動部として機能する。
【００６２】
また、図１４に示す金属イオン水散布装置１０１では、イオン水生成モードにおいて振動を発生させる振動部としてポンプ１３２のみを備えた構成を例示しているが、本発明はこれに限定されるものではない。すなわち、ポンプ１３２以外に、実施の形態１で説明した振動部１３１を備え、イオン水生成モード時にはポンプ１３２と振動部１３１との両方で振動を発生させる構成としてもよい。例えば、振動部１３１を金属イオン水散布装置１０１の下部に超音波振動子として配置すれば、配置箇所および発生振動数の異なる２種類の振動子を併用することができる。
【００６３】
また、金属イオン水散布装置１０１では、図１５に示すように、制御部および給電部などを筐体下部に全て配置し、これらとポンプ１３２とを繋ぐ配線類は配線内蔵部１３３に収納する構成とすることができる。また、配線内蔵部１３３は、使用者が金属イオン水散布装置１０１を手に持って散布を行うときの取手部を構成していても良い。この構成では金属イオン水散布装置１０１の小型化が可能である。
【００６４】
〔実施の形態３〕
図１６は、本実施の形態３に係る金属イオン水散布装置１０２の内部の概略構成を示す断面図である。図１６に示す金属イオン水散布装置１０２は、タンク１１１内の水を給水管によって吸い上げてから噴霧するのではなく、タンク１１１から金属イオン水を直接噴霧することが可能な構成とされている。
【００６５】
金属イオン水散布装置１０２に備えられるタンク１１１は、金属イオン水散布装置１０２の筐体下部側面に排出口１１１ａを有している。そして、排出口１１１ａには金属メッシュ１３４Ａと超音波振動子１３４Ｂとからなる超音波霧化部１３４が設けられている。この例では、超音波霧化部１３４が特許請求の範囲に記載の散布部に相当し、超音波振動子１３４Ｂが特許請求の範囲に記載の駆動部に相当する。尚、金属イオン水散布装置１０２の筐体下部（タンク１１１の下方）には、制御部１４０、給電部１４１および操作部１４２などが設けられていてもよい。
【００６６】
金属イオン水散布装置１０２の不使用時（超音波振動子１３４Ｂの停止時）には、金属メッシュ１３４Ａの表面張力によって外部への水の漏れが防止される。そして、金属イオン水散布装置１０２の使用時には、超音波振動子１３４Ｂを駆動することで超音波霧化部１３４により排出口１１１ａ付近の水が霧化され、ミスト状の金属イオン水が噴霧される。
【００６７】
金属イオン水散布装置１０２における超音波振動子１３４Ｂは、金属イオン水の噴霧だけでなく、イオン水生成モードにおいて振動を発生させる振動部としても使用される。このため、超音波振動子１３４Ｂは、金属イオン水噴霧時の噴霧駆動モードと、金属イオン水生成時の振動生成モードとの２つの駆動モードを有する。
【００６８】
超音波振動子１３４Ｂを噴霧駆動モードおよび振動生成モードで駆動可能とするには、供給電力を異ならせたり（例えば、噴霧駆動モードで１．８Ｗ、振動生成モードで０．１Ｗ）、発振周波数を変化させたりすればよい（例えば、噴霧駆動モードで１１５ｋＨｚ、振動生成モードで４０ｋＨｚ）。
【００６９】
一般に、超音波振動子のメカニズムは、固有の周波数（形状などによる）を有する振動子に対し、その固有周波数に相当する周波数の電圧をかけることで大きな振幅で振動させるものである。そして、超音波振動子１３４Ｂを噴霧駆動モードで駆動する場合は、固有周波数に相当する周波数の電圧をかけることで効率的に振動を行わせるものとする。一方、超音波振動子１３４Ｂを振動生成モードで駆動する場合は、振動子の固有周波数とは異なる周波数の電圧をかけることで、発振周波数や振幅も小さくなり、霧化は起こさずに振動のみ発生させることが可能となる。具体的には、超音波振動子１３４Ｂは、噴霧駆動モードでは１００ｋＨｚ以上の発振周波数とし、振動生成モードでは１００ｋＨｚ未満、より好適には４０ｋＨｚ以下の発振周波数とすることが望ましい。
【００７０】
今回開示した実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【００７１】
〔援用の記載〕
本国際出願は、２０１８年１０月４日に日本特許庁に出願された日本国特許出願第２０１８−１８８８４９号に基づく優先権を主張するものであり、本国特許出願第２０１８−１８８８４９号の全内容を参照により本国際出願に援用する。
【符号の説明】
【００７２】
１００，１０１，１０２    金属イオン水散布装置
１１０    筐体
１１１    タンク
１１２    金属電極板（金属イオン水生成部）
１２１    給水管（散布部の一部）
１２２    散布ノズル（散布部の一部）
１２３    押圧レバー（散布部の一部）
１３１    振動部
１３２    ポンプ（散布部の一部、駆動部、振動部）
１３４    超音波霧化部（散布部）
１３４Ａ    金属メッシュ
１３４Ｂ    超音波振動子（駆動部、振動部）
【図１】
2020071433.tif 000003
【図２】
2020071433.tif 000004
【図３】
2020071433.tif 000005
【図４】
2020071433.tif 000006
【図５】
2020071433.tif 000007
【図６】
2020071433.tif 000008
【図７】
2020071433.tif 000009
【図８】
2020071433.tif 000010
【図９】
2020071433.tif 000011
【図１０】
2020071433.tif 000012
【図１１】
2020071433.tif 000013
【図１２】
2020071433.tif 000014
【図１３】
2020071433.tif 000015
【図１４】
2020071433.tif 000016
【図１５】
2020071433.tif 000017
【図１６】
2020071433.tif 000018
【国際調査報告】
2020071433.tif 000019
2020071433.tif 000020
2020071433.tif 000021
2020071433.tif 000022